(57)【要約】【課題】フリュームのインバートに対する水平度をチェックしながらフリュームを容易な作業でシール可能に設置できる流量計測用水路装置を提供すること。【解決手段】水路における水の流量を計測するために、上流側の管５と下流側の管６を連通させるようマンホール１の底部に形成されたインバート４上に設置されるフリューム３を備えた流量計測用水路装置において、前記フリューム３は、上流側の管５に嵌込可能で、上流側の方向に突出した縦断面が円弧状の嵌込部分８と、前記嵌込部分８の上部後端位置から上方に至り上流側の管５の上部左右端面に当接するよう所定間隔を有して左右対称に形成された上流端面９，９とよりなる正面視Ｕ字状の接続部１０を上流端に有し、更に、前記フリューム３は、この接続部１０を上流側の管５にシール可能に接続するための接続手段１１，１３，１４，１４，１２と、前記フリューム３を前記インバート４に対して水平に位置させるための手段１９，１９とを有する。【選択図】        図１
2005030881.tif 000002
【特許請求の範囲】
【請求項１】
水路における水の流量を計測するために、上流側の管と下流側の管を連通させるようマンホールの底部に形成されたインバート上に設置されるフリュームを備えた流量計測用水路装置において、前記フリュームは、上流側の管に嵌込可能で、上流側の方向に突出した縦断面が円弧状の嵌込部分と、前記嵌込部分の上部後端位置から上方に至り上流側の管の上部左右端面に当接するよう所定間隔を有して左右対称に形成された上流端面とよりなる正面視Ｕ字状の接続部を上流端に有し、更に、前記フリュームは、この接続部を上流側の管にシール可能に接続するための接続手段と、前記フリュームを前記インバートに対して水平に位置させるための手段とを有することを特徴とする流量計測用水路装置。。
【請求項２】
前記接続手段は、前記嵌込部分の外周側に設けられ、前記嵌込部分よりも円弧長さが長く、前記上流側の管に挿入時は縮径可能で、かつ、挿入後は拡径可能な縦断面が円弧状の弧状部材と、前記嵌込部分と弧状部材間に介装される第１のパッキンと、上流側の管に前記嵌込部分が嵌込まれた状態で、上流側の管の前記上部左右端面に当接するよう前記上流端面の外側に設けられる第２のパッキンと、上流側の管に前記嵌込部分が嵌込まれた状態で、前記嵌込部分と上流側の管間に介装される第３のパッキンとを有する請求項１に記載の流量計測用水路装置。
【請求項３】
水路における水の流量を計測するために、上流側の管と下流側の管を連通させるようマンホールの底部に形成されたインバート上に設置されるフリュームを備えた流量計測用水路装置において、前記フリュームは、上流側の管に嵌込可能で、上流側の方向に突出した筒状の嵌込部分と、前記嵌込部分と上流側の管間に介装されるパッキンとを有することを特徴とする流量計測用水路装置。
【請求項４】
水路における水の流量を計測するために、上流側の管と下流側の管を連通させるようマンホールの底部に形成されたインバート上に設置されるフリュームを備えた流量計測用水路装置において、前記フリュームは、上流側の管に嵌込可能で、上流側の方向に突出した縦断面が円弧状の嵌込部分と、前記嵌込部分の後端位置から上方に至り上流側の管の上部端面に当接するよう形成された板体部分とよりなる接続部を上流端に有し、更に、前記フリュームは、この接続部を前記上流側の管にシール可能に接続するための接続手段と、前記フリュームを前記インバートに対して水平に位置させるための手段とを有することを特徴とする流量計測用水路装置。
【請求項５】
前記接続手段は、前記嵌込部分の外周側に設けられ、前記嵌込部分よりも円弧長さが長く、前記上流側の管に挿入時は縮径可能で、かつ、挿入後は拡径可能な縦断面が円弧状の弧状部材と、前記嵌込部分と弧状部材間に介装される第１のパッキンと、上流側の管に前記嵌込部分が嵌込まれた状態で、前記板体部分の前面と上流側の管の前記上部端面との間に介装される第２のパッキンとを有する請求項４に記載の流量計測用水路装置。
【請求項６】
水路における水の流量を計測するために、上流側の管と下流側の管を連通させるようマンホールの底部に形成されたインバート上に設置されるフリュームを備えた流量計測用水路装置において、前記フリュームは、上流側の管に嵌込可能で、上流側の方向に突出した縦断面が円弧状の嵌込部分と、前記嵌込部分の上部後端位置から上方に至り上流側の管の上部左右端面に当接するよう所定間隔を有して左右対称に形成された縦部分とよりなる正面視Ｕ字状の接続部を上流端に有し、更に、前記フリュームは、この接続部を上流側の管にシール可能に接続するための接続手段と、前記フリュームを前記インバートに対して水平に位置させるための手段とを有することを特徴とする流量計測用水路装置。
【請求項７】
前記接続手段は、前記嵌込部分の外周側に設けられ、前記嵌込部分よりも円弧長さが長く、前記上流側の管に挿入時は縮径可能で、かつ、挿入後は拡径可能な縦断面が円弧状の弧状部材と、前記嵌込部分と弧状部材間に介装される第１のパッキンと、上流側の管に前記嵌込部分が嵌込まれた状態で、前記各縦部分の前面と上流側の管の前記上部左右端面との間にそれぞれ介装される第２のパッキンとを有する請求項６に記載の流量計測用水路装置。
【発明の詳細な説明】
【０００１】
【発明の属する技術分野】
この発明は、流量計測用水路装置に関する。
【０００２】
【従来の技術】
【特許文献１】登録実用新案第３０６１７１５号公報
例えば下水（排水）の流量を計測するために、上流側の下水管と下流側の下水管を連通させるようマンホールの底部に形成されたインバート上に設置されるフリュームを備えた流量計測用水路装置がある（前記特許文献１参照）。このフリュームには流量計が設置されており、フリュームを通過する下水は、常流の状態から、絞り部分で限界流となり、更に斜流へと変化し、この限界流の流速が水位と重力の関数になること、絞りの直前の上流側水深がこの限界流の水深と相関することを利用して上流側の計測水深から流量を演算している。
【０００３】
【発明が解決しようとする課題】
ところで、フリュームをインバート上に設置するにあたり、フリュームをインバートに対して水平に位置させながら、フリュームの上流側を上流側の下水管に接続できるようフリュームを固定する必要がある。そのため、フリュームのインバートに対する水平度を水平計（ｆｉｓｈ  ｅｙｅ  ｌｅｖｅｌ）でチェックした後、水平状態のままフリュームをマンホールの縦壁に、急結セメントや接着剤を用いて人力で施工する必要があり、施工作業に手間がかかっていた。また、急結セメントや接着剤を用いるので、コスト高になっていた。
【０００４】
この発明は上述の事柄に留意してなされたもので、その目的は、フリュームのインバートに対する水平度をチェックしながらフリュームを容易な作業でシール可能に設置できる流量計測用水路装置を提供することである。
【０００５】
【課題を解決するための手段】
上記目的を達成するために、この発明の流量計測用水路装置は、水路における水の流量を計測するために、上流側の管と下流側の管を連通させるようマンホールの底部に形成されたインバート上に設置されるフリュームを備えた流量計測用水路装置において、前記フリュームは、上流側の管に嵌込可能で、上流側の方向に突出した縦断面が円弧状の嵌込部分と、前記嵌込部分の上部後端位置から上方に至り上流側の管の上部左右端面に当接するよう所定間隔を有して左右対称に形成された上流端面とよりなる正面視Ｕ字状の接続部を上流端に有し、更に、前記フリュームは、この接続部を上流側の管にシール可能に接続するための接続手段と、前記フリュームを前記インバートに対して水平に位置させるための手段とを有する（請求項１）。
【０００６】
また、この発明は別の観点から、水路における水の流量を計測するために、上流側の管と下流側の管を連通させるようマンホールの底部に形成されたインバート上に設置されるフリュームを備えた流量計測用水路装置において、前記フリュームは、上流側の管に嵌込可能で、上流側の方向に突出した筒状の嵌込部分と、前記嵌込部分と上流側の管間に介装されるパッキンとを有することを特徴とする流量計測用水路装置を提供する（請求項３）。
【０００７】
また、この発明は更に別の観点から、水路における水の流量を計測するために、上流側の管と下流側の管を連通させるようマンホールの底部に形成されたインバート上に設置されるフリュームを備えた流量計測用水路装置において、前記フリュームは、上流側の管に嵌込可能で、上流側の方向に突出した縦断面が円弧状の嵌込部分と、前記嵌込部分の後端位置から上方に至り上流側の管の上部端面に当接するよう形成された板体部分とよりなる接続部を上流端に有し、更に、前記フリュームは、この接続部を前記上流側の管にシール可能に接続するための接続手段と、前記フリュームを前記インバートに対して水平に位置させるための手段とを有することを特徴とする流量計測用水路装置を提供する（請求項４）。
【０００８】
更に、この発明は、水路における水の流量を計測するために、上流側の管と下流側の管を連通させるようマンホールの底部に形成されたインバート上に設置されるフリュームを備えた流量計測用水路装置において、前記フリュームは、上流側の管に嵌込可能で、上流側の方向に突出した縦断面が円弧状の嵌込部分と、前記嵌込部分の上部後端位置から上方に至り上流側の管の上部左右端面に当接するよう所定間隔を有して左右対称に形成された縦部分とよりなる正面視Ｕ字状の接続部を上流端に有し、更に、前記フリュームは、この接続部を上流側の管にシール可能に接続するための接続手段と、前記フリュームを前記インバートに対して水平に位置させるための手段とを有することを特徴とする流量計測用水路装置を提供する（請求項６）。
【０００９】
【発明の実施の形態】
以下、この発明の実施形態を、図を参照しながら説明するが、それによってこの発明は限定されるものではない。
【００１０】
図１〜図５は、この発明の第１の実施形態を示す。
【００１１】
図１〜図５において、１は、上流側の下水管５の出口、下流側の下水管６の入口６ａが形成された人孔直壁部１ａを有するマンホール、２は、樹脂製のフリューム３を通過する下水の流量を計測するためのポータブル型流量計で、水位センサ２ａと計測演算・表示部２ｂよりなる。
【００１２】
前記フリューム３は、縦断面ほぼＵ字状のフリューム本体３ａと、上流端および下流端間の流れの方向に沿う状態で一対の外向きのフランジ３ｂ，３ｂをフリューム本体３ａの上端に有する。前記水位センサ２ａはワンタッチで前記フランジ３ｂ，３ｂ間に取り付けられた上流側リブ３ｃに設置できる。また、前記フランジ３ｂ，３ｂ間に取り付けられた下流側リブ３ｃ’にはフリューム３のインバート４に対する水平度をチェックするための水平計（ｆｉｓｈ  ｅｙｅ  ｌｅｖｅｌ）２’が設置されている。４は、フリューム３を設置するための逆アーチ型のインバートで、マンホール１の底部に形成されている。そして、下水は、上流側の下水管５からフリューム３を通過して下流側の下水管６に流れる。フリューム３を通過する下水は、常流の状態から、絞り部分７で限界流となり、更に斜流へと変化する。
【００１３】
以下、特徴的構成について説明する。
【００１４】
前記フリューム３の前記本体３ａは、下水管５に嵌込可能な縦断面が円弧状の嵌込部分８を有する。この嵌込部分８は、前記フリューム本体３ａの上流端面９から所定長さだけ上流側の方向に突出した状態で形成されている。この上流端面９は、縦断面ほぼＵ字状の部材を、嵌込部分８を残す形で縦方向に切欠いたときに形成されるものである。すなわち、前記上流端面９は、嵌込部分８の上部後端位置Ｔから上方に至るよう所定間隔を有して左右対称に形成されており、下水管５に嵌込部分８が嵌込まれた状態では下水管５の上部左右端面に当接する。そして、嵌込部分８と前記上流端面９，９とから正面視Ｕ字状の接続部１０が構成される。
【００１５】
前記フリューム３には、前記接続部１０を上流側の下水管５にワンタッチでシール可能に接続するための接続手段が設けられている。この接続手段は、嵌込部分８の外周側に設けられる縦断面が円弧状の弧状部材１１と、嵌込部分８の外周面と弧状部材１１の内周面間に介装される一つの第１のパッキン１３と、一対の第２のパッキン１４，１４と、下水管５に嵌込部分８が嵌込まれた状態で、下水管５の内周面と弧状部材１１の外周面間に介装される一つの第３のパッキン１２とを有する。弧状部材１１は、嵌込部分８、第１のパッキン１３、第３のパッキン１２と共に上流側の下水管５に挿入されるもので、前記嵌込部分８よりも円弧長さが長く、上流側の下水管５への挿入時は縮径可能で、かつ、挿入後は拡径可能に構成されている。そして、弧状部材１１は、弧部分１１ａを有するとともに、弧部分１１ａの一端および他端がそれぞれ下向きに折り曲げられてなる把持部としての折り曲げ部分１１ｂを両開放端に有する。そして、折り曲げ部分１１ｂが嵌込部分８の両端よりも突出するよう第１のパッキン１３を介して嵌込部分８に弧状部材１１が設けられる。この実施形態では、弧状部材１１は、人力で上流側の下水管５に挿入できるよう縮径可能で、かつ、挿入後は拡がる方向に弾性を持つ例えば金属材料で形成されている。そして、弧状部材１１の縮径作業が人力で容易に行えるように、また、下水管５に挿入された縮径状態の弧状部材１１の拡径作業が人力で容易に行えるように弧状部材１１には把持部として機能する前記一対の折り曲げ部分１１ｂが設けられている。
【００１６】
前記第１のパッキン１３は、平面視力門型形状をなし、両脚１３ａ，１３ａを繋ぐ細長い天面部分１３ｂの長手方向の長さは、嵌込部分８の円弧長さとほぼ等しい長さに設定されており、また、両脚１３ａ，１３ａの長さは嵌込部分８の突出長さにほぼ等しく設定されている。
【００１７】
前記第２のパッキン１４は、縦長の直方体形状をなし、フリューム本体３ａの左右の上流端面９，９の外側、すなわち、フリューム本体３ａの両側面に内側面が固着された状態でそれぞれ設けられている。下水管５に嵌込部分８が嵌込まれた状態では、第２のパッキン１４の上流側の面１４ａは下水管５の上部左右端面に当接する。そして、マンホール１の前記人孔直壁部１ａの入口６ａとの密着性を高めるために、第２のパッキン１４の外側面１４ｄにおける下端の先端部分１４ｂは下方へ行くほど細い先細りのテーパ形状をなす。１４ｃは、第２のパッキン１４の下端の最先端部分で薄肉に形成されている。更に、この最先端部分１４ｃと第１のパッキン１３の前記脚１３ａとが当接してシール性を高めるよう第１のパッキン１３と第２のパッキン１４の取り付け位置が設定されている。
【００１８】
前記第３のパッキン１２は、弧状部材１１の外周面全体を覆うよう設けられるもので、最上流側に円弧状の空気層１２ａを有する。この第３のパッキン１２は、平面視長方形のものを一方の長辺の側から短手方向に沿って短辺Ｓの長さの半分未満の長さＦ（Ｆ＜Ｓ／２）に折って折り曲げたものである。１２ｂはその折り曲げ部分であり、この折り曲げ部分１２ｂの側を弧状部材１１の外周面にあてながら弧状部材１１の外周面全体が第３のパッキン１２によって覆われる。そのため、折り曲げ部分１２ｂと残りの部分１２ｃとの間に前記空気層１２ａを形成できる。この空気層１２ａにより、下水管５に嵌込部分８が嵌込まれたときに下水管５と弧状部材１１間のシール性（止水性）を向上できる。
【００１９】
１５および１６は、第１のパッキン１３を嵌込部分８、弧状部材１１間に位置決めするとともに、第３のパッキン１２を弧状部材１１に位置決めして外れないようするために、嵌込部分８および弧状部材１１にそれぞれ穿設した位置決め用の孔である。１７および１８は、前記孔１５，６に嵌込められるビスおよびビス固定ねじである。
【００２０】
１９，１９は、フリューム３をインバート４に対して水平に位置させるにあたり、フリューム３のインバート４に対する高さ調整を行うために用いる一対の長ビスで、フランジ３ｂ，３ｂと下流側リブ３ｃ’の二つの交点位置に設けられている。そして、フリューム３の高さ調整は、左右の長ビス１９，１９をインバート４までねじ込んで締付ける締付け量で決定できる。
【００２１】
そして、前記水平計（ｆｉｓｈ  ｅｙｅ  ｌｅｖｅｌ）２’と長ビス１９，１９とインバート４とから、フリューム３をインバート４に対して水平に位置させるための手段が構成される。
【００２２】
而して、ビス１７によって、フリューム本体３ａの嵌込部分８に第１のパッキン１３、弧状部材１１および第３のパッキン１２をこの順で取り付けてなるフリューム３を予め作製しておく。そして、この作製されたフリューム３をインバート４上に搬送し、第３のパッキン１２、弧状部材１１および第１のパッキン１３を介して、フリューム３の接続部１０を上流側の下水管５内に一旦接続する。この場合、人力で前記一対の折り曲げ部分１１ｂを操作することで、フリューム３を上流側の下水管５内にワンタッチでシール可能に接続できる。すなわち、弧状部材１１は人力により縮径され、第１のパッキン１３を嵌込部分８とで挟んだ状態で、第３のパッキン１２と共に上流側の下水管５に挿入され、挿入後は弧状部材１１の弾性力で拡径して、弧状部材１１の表面全体が上流側の下水管５の内面を押圧するよう上流側の下水管５の内面に、第３のパッキン１２を介して密着する。この場合、空気層１２ａにより、下水管５と弧状部材１１間のシール性（止水性）を向上できる。そして、弧状部材１１を挿入時のように縮径変形するなどして弧状部材１１を水平になるようフリューム３を上流側の下水管５の軸心まわりに回動させ、この状態で、水平計（ｆｉｓｈ  ｅｙｅ  ｌｅｖｅｌ）２’にてフリューム３自体の水平度をチェックすることにより、従来に比して作業性が飛躍的に向上するとともに、下水（排水）の流量を精度よく計測できる。また、急結セメントや接着剤を用いないのでコスト安にできる。
【００２３】
図６は、上記第１の実施形態で用いた、拡がる方向に弾性を持つ弧状部材１１’に、弧状部材１１’の縮径操作を容易にするためのターンバックル２０を設けたこの発明の第２の実施形態を示す。なお、図６において、図１〜図５に示した符号と同一のものは、同一または相当物である。
【００２４】
図６において、２０はターンバックルである。２１は、一対のブラケットで、弧状部材１１’の両開口端に形成されている。２２は、ブラケット２１の各々に穿設されたピン孔である。ターンバックル２０は、二つのねじ軸部２４と、各ねじ軸部２４の外端をピン２３でブラケット２１に連結されている。２５は、各ねじ軸部２４の内端側に螺合されているバックル本体で、ブラケット２１，２１間の間隔を調整する。
【００２５】
而して、弧状部材１１’はターンバックル２０の縮径操作により縮径し、上流側の下水管５に挿入され、挿入後はターンバックル２０の拡径操作により弧状部材１１’は拡径して、弧状部材１１’の表面全体が第３のパッキン１２を介して上流側の下水管５の内面を押圧するよう上流側の下水管５の内面に密着する。
なお、弧状部材１１’として、拡がる方向に弾性を持つ材料を用いなくてもよい。
【００２６】
図７は、拡がる方向に弾性を持つ材料よりなる弧状部材１１’’に、弧状部材１１’’の縮径操作を容易にするためのバネ３１を用いたこの発明の第３の実施形態を示す。なお、図７において、図１〜図６に示した符号と同一のものは、同一または相当物である。
【００２７】
図７において、３０は、弧状部材１１’’の径を変更する部材で、バネ３１と、バネ３１の両端に設けられた把手部材３２と、把手部材３２が固着される二つの軸部３４とから主としてなる。そして、把手部材３２同士を近づけてバネ３１を圧縮することにより、ブラケット２１，２１間の間隔を調整する。
【００２８】
図８は、この発明の第４の実施形態を示す。なお、図８において、図１〜図７に示した符号と同一のものは、同一または相当物である。
【００２９】
図８において、３’はフリュームである。このフリューム３’は、上流側の下水管に嵌込可能で、上流側の方向に突出した縦断面が円弧状の嵌込部分８と、嵌込部分８の後端位置から上方に至り上流側の下水管の上部端面に当接するよう形成された板体部分４０とよりなる接続部１０’を上流端に有し、更に、前記フリューム３’は、この接続部１０’を上流側の下水管にワンタッチでシール可能に接続するための接続手段と、フリューム３’のインバートに対する水平度を測定した後、フリューム３’を前記インバートに対して水平に位置させるための手段とを有する。
【００３０】
前記接続手段は、前記嵌込部分８の外周側に設けられ、前記嵌込部分８よりも円弧長さが長く、前記上流側の下水管に挿入時は縮径可能で、かつ、挿入後は拡径可能な縦断面が円弧状の弧状部材１１と、前記嵌込部分８と弧状部材１１間に介装されるパッキン１３と、上流側の下水管に前記嵌込部分８が嵌込まれた状態で、前記板体部分４０の前面Ｆと上流側の下水管の上部端面との間に介装されるパッキン４１と、上流側の下水管の内周面と弧状部材１１の外周面間に介装される一つの第３のパッキン１２とを有する。
【００３１】
前記板体部分４０は、正面視門型で、下端面が半円弧状に形成されている。前記パッキン４１は、正面視円弧形状で、板体部分４０の前面Ｆで、板体部分４０の内周側に沿って予め固着されている。
【００３２】
図９は、この発明の第５の実施形態を示す。なお、図９において、図１〜図８に示した符号と同一のものは、同一または相当物である。
【００３３】
図９において、３’’はフリュームである。このフリューム３’’は、上流側の下水管に嵌込可能で、上流側の方向に突出した筒状の嵌込部分５０と、嵌込部分５０と上流側の下水管間に介装される前記パッキン１２とを有する。
【００３４】
図１０は、この発明の第６の実施形態を示す。なお、図１０において、図１〜図９に示した符号と同一のものは、同一または相当物である。
【００３５】
図１０において、フリューム３’’’は、上流側の下水管に嵌込可能で、上流側の方向に突出した縦断面が円弧状の嵌込部分８と、嵌込部分８の上部後端位置から上方に至り上流側の下水管の上部左右端面に当接するよう所定間隔を有して左右対称に形成された縦部分６０とよりなる正面視Ｕ字状の接続部を上流端に有し、更に、フリューム３’’’は、この接続部を上流側の下水管にシール可能に接続するための接続手段と、フリューム’’’をインバートに対して水平に位置させるための手段とを有する。前記接続手段は、嵌込部分８の外周側に設けられ、嵌込部分８よりも円弧長さが長く、上流側の下水管に挿入時は縮径可能で、かつ、挿入後は拡径可能な縦断面が円弧状の弧状部材１１と、嵌込部分８と弧状部材１１間に介装される第１のパッキン１３と、上流側の下水管に嵌込部分８が嵌込まれた状態で、各縦部分６０の前面Ｆ’と上流側の下水管の上部左右端面との間にそれぞれ介装される第２のパッキン６３，６３とを有する。そして、前記水平計（ｆｉｓｈ  ｅｙｅ  ｌｅｖｅｌ）と前記長ビスとインバートとから、フリューム３’’’をインバートに対して水平に位置させるための手段が構成される。
【００３６】
【発明の効果】
以上説明したようにこの発明では、フリュームのインバートに対する水平度をチェックしながらフリュームを容易な作業でシール可能に設置できる流量計測用水路装置を提供することができる。
【図面の簡単な説明】
【図１】この発明の第１の実施形態における使用状態を示す斜視図である。
【図２】上記実施形態を示す平面図である。
【図３】上記実施形態において、上流側の管との接続状態を説明するための構成説明図である。
【図４】上記実施形態を示す縦断面図である。
【図５】上記実施形態を示す要部分解斜視図である。
【図６】この発明の第２の実施形態を示す縦断面図である。
【図７】この発明の第３の実施形態を示す縦断面図である。
【図８】この発明の第４の実施形態を示す斜視図である。
【図９】この発明の第５の実施形態を示す斜視図である。
【図１０】この発明の第６の実施形態を示す斜視図である。
【符号の説明】
１…マンホール、３…フリューム、４…インバート、５…上流側の管、６…下流側の管、８…嵌込部分、９…上流端面、１０…接続部、１１…弧状部材、１２…第３のパッキン、１３…第１のパッキン、１４，１４…第２のパッキン、１９，１９…長ビス。
【図１】
2005030881.tif 000003
【図２】
2005030881.tif 000004
【図３】
2005030881.tif 000005
【図４】
2005030881.tif 000006
【図５】
2005030881.tif 000007
【図６】
2005030881.tif 000008
【図７】
2005030881.tif 000009
【図８】
2005030881.tif 000010
【図９】
2005030881.tif 000011
【図１０】
2005030881.tif 000012